(57)【要約】【課題】照明器具を容易に位置決めできるアダプターを提供する。【解決手段】アダプター５には、照明器具３を取り付けることが可能である。アダプター５は、装着部３１ａと、凹部３３とを備える。装着部３１ａは、ポール１００に装着可能である。凹部３３には、照明器具３の一部１９が嵌まることが可能である。凹部３３は、特定面４１を有する。特定面４１には、照明器具３の一部１９が接触することが可能である。特定面４１は、アダプター５の外部に向かって湾曲している。【選択図】図１
2018181719.tif 000002
【特許請求の範囲】
【請求項１】
照明器具を取り付けることの可能なアダプターであって、
ポールに装着可能な装着部と、
前記照明器具の一部が嵌まることの可能な凹部と
を備える、アダプター。
【請求項２】
前記凹部は、前記照明器具の前記一部が接触することの可能な特定面を有し、
前記特定面は、前記アダプターの外部に向かって湾曲している、請求項１に記載のアダプター。
【請求項３】
前記装着部は、円筒形状を有し、
前記凹部は、前記装着部の外周面に形成されており、
前記特定面は、前記装着部の径方向外側に向かって凸状に湾曲している、請求項２に記載のアダプター。
【請求項４】
複数の前記凹部を備える、請求項１から請求項３のいずれか１項に記載のアダプター。
【請求項５】
前記凹部に嵌まることの可能な塞ぎ部をさらに備え、
前記塞ぎ部は、前記凹部に形成されている開口を塞ぐことが可能である、請求項１から請求項４のいずれか１項に記載のアダプター。
【請求項６】
請求項１から請求項５のいずれか１項に記載のアダプターと、
光源を含む照明器具と
を備える、照明装置。
【発明の詳細な説明】
【技術分野】
【０００１】
本発明は、照明器具を取り付けることの可能なアダプター及び照明装置に関する。
【背景技術】
【０００２】
特許文献１に記載された照明器具は、鉛直方向に沿って起立しているポールの上端近傍に設置される。具体的には、照明器具はブラケットを備える。そして、ブラケットがポールに固定される。その結果、照明器具はブラケットを介してポールに設置される。
【先行技術文献】
【特許文献】
【０００３】
【特許文献１】特開２０１３−１０１８１６号公報
【発明の概要】
【発明が解決しようとする課題】
【０００４】
特許文献１に記載された照明器具では、照明器具をポールに設置する際に、ブラケットがポールの周面上の所望の位置からずれないように、作業者には、灯具及びブラケットを支持しながら、ブラケットをポールの周面上の所望の位置に固定することが要求される。
【０００５】
しかしながら、灯具及びブラケットには重量があるため、作業時間中、ブラケットが所望の位置からずれないようにブラケットを支持することは困難である。特に、高所での作業であるため、ブラケットが所望の位置からずれないようにブラケットを支持することは更に困難である。
【０００６】
換言すれば、照明器具をポールに設置する際に、ポールに対する照明器具の位置決めが困難である。
【０００７】
本発明は上記課題に鑑みてなされたものであり、その目的は、照明器具を容易に位置決めできるアダプター及び照明装置を提供することにある。
【課題を解決するための手段】
【０００８】
本願に開示するアダプターには、照明器具を取り付けることが可能である。アダプターは、装着部と、凹部とを備える。装着部は、ポールに装着可能である。凹部には、前記照明器具の一部が嵌まることが可能である。
【０００９】
本願に開示するアダプターにおいて、前記凹部は、特定面を有することが好ましい。特定面には、前記照明器具の前記一部が接触することが可能であることが好ましい。前記特定面は、前記アダプターの外部に向かって湾曲していることが好ましい。
【００１０】
本願に開示するアダプターにおいて、前記装着部は、円筒形状を有することが好ましい。前記凹部は、前記装着部の外周面に形成されていることが好ましい。前記特定面は、前記装着部の径方向外側に向かって凸状に湾曲していることが好ましい。
【００１１】
本願に開示するアダプターは、複数の前記凹部を備えることが好ましい。
【００１２】
本願に開示するアダプターは、前記凹部に嵌まることの可能な塞ぎ部をさらに備えることが好ましい。前記塞ぎ部は、前記凹部に形成されている開口を塞ぐことが可能であることが好ましい。
【００１３】
本願に開示する照明装置は、上記アダプターと、光源を含む照明器具とを備える。
【発明の効果】
【００１４】
本発明によれば、照明器具を容易に位置決めできる。
【図面の簡単な説明】
【００１５】
【図１】本発明の実施形態に係る照明装置を示す斜視図である。
【図２】（ａ）は、実施形態に係るアダプターを示す斜視図である。（ｂ）は、実施形態に係るアダプターを示す正面図である。
【図３】（ａ）は、図２（ｂ）のＩＩＩＡ−ＩＩＩＡ線に沿ったアダプターを示す縦断面図である。（ｂ）は、図２（ｂ）のＩＩＩＢ−ＩＩＩＢ線に沿ったアダプターを示す横断面図である。
【図４】実施形態に係る照明装置を示す側面図である。
【図５】実施形態に係る照明器具を示す斜視図である。
【図６】本発明の実施形態の変形例に係る照明装置を示す斜視図である。
【発明を実施するための形態】
【００１６】
以下、本発明の実施形態について、図面を参照しながら説明する。なお、図中、同一または相当部分については同一の参照符号を付して説明を繰り返さない。
【００１７】
図１〜図５を参照して、本発明の実施形態に係る照明装置１について説明する。図１は、照明装置１を示す斜視図である。図１に示すように、照明装置１はポール１００に設置される。具体的には、照明装置１は、照明器具３と、アダプター５とを備える。照明器具３は光を出射する。照明器具３は、アダプター５を介してポール１００に設置される。
【００１８】
具体的には、アダプター５に、照明器具３を取り付けることが可能である。従って、アダプター５に、照明器具３が取り付けられる。アダプター５は、装着部３１ａと、凹部３３とを含む。アダプター５は天板部３１ｂを含むことが好ましい。アダプター５は、例えば、金属製である。
【００１９】
装着部３１ａは、ポール１００に装着可能である。従って、装着部３１ａは、ポール１００に装着される。ポール１００は、本体部１０４と、ジョイント部１０２とを含む。本体部１０４及びジョイント部１０２の各々は、略円柱形状又は略円筒形状を有する。本体部１０４は、鉛直方向に沿って地面から起立している。ジョイント部１０２は、本体部１０４の先端から鉛直上方に延びている。ジョイント部１０２の外径は本体部１０４の外径よりも小さい。
【００２０】
装着部３１ａは内部空間３７を有する。装着部３１ａは、ジョイント部１０２の形状に対応して、略円筒形状を有することが好ましい。アダプター５が方向Ｄに移動されて、装着部３１ａはジョイント部１０２に嵌まる。具体的には、装着部３１ａの先端側と基端側とのうちの基端側から、装着部３１ａの内部空間３７にジョイント部１０２が嵌まる。その結果、装着部３１ａがポール１００に装着される。また、装着部３１ａがジョイント部１０２に嵌まると、アダプター５の基端部４７がポール１００の段差部１０６に当接する。その結果、アダプター５がポール１００に対して位置決めされる。つまり、ポール１００の長手方向におけるアダプター５の位置が定まる。なお、段差部１０６は、ポール１００のジョイント部１０２と本体部１０４との間の段差を示し、略円環形状を有する。
【００２１】
また、装着部３１ａの内径ＤＭ１は、ジョイント部１０２の外径ＤＭ２よりも大きい。従って、装着部３１ａがジョイント部１０２に円滑に嵌まる。さらに、装着部３１ａの内径ＤＭ１は、ジョイント部１０２の外径ＤＭ２よりも微小量だけ大きいことが好ましい。装着部３１ａをジョイント部１０２に円滑に嵌めることが可能であることに加えて、装着部３１ａがジョイント部１０２に嵌まった後に、アダプター５がポール１００に対して揺動することを抑制できるからである。
【００２２】
なお、図１に示すように、装着部３１ａの内面が複数の円弧状曲面ＫＭで形成されている場合は、装着部３１ａの内径ＤＭ１は、複数の円弧状曲面ＫＭのそれぞれの複数の曲率半径のうち、最小の曲率半径の２倍を示す。本実施形態では、装着部３１ａの内径ＤＭ１は、円弧状曲面ＫＭ１の曲率半径と円弧状曲面ＫＭ２の曲率半径とのうち、円弧状曲面ＫＭ１の曲率半径の２倍を示す。また、装着部３１ａの内面が単一の円曲面で形成されている場合は、装着部３１ａの内径ＤＭ１は、円曲面の直径を示す。なお、円弧状曲面ＫＭ又は円曲面は、装着部３１ａを横断面視したときの装着部３１ａの内面を示す。横断面視は、アダプター５の長手方向ＬＤに直交する平面によって装着部３１ａを切断したときの切断面を見ることを示す。
【００２３】
また、照明装置１の美観を向上させるためには、装着部３１ａは、ポール１００の本体部１０４に対応する形状を有することが好ましい。例えば、装着部３１ａがポール１００の本体部１０４と同様の略円筒形状を有し、装着部３１ａの外径がポール１００の本体部１０４の外径と略同一であることが好ましい。
【００２４】
天板部３１ｂは略平板形状を有する。天板部３１ｂは、装着部３１ａの形状に対応して、略円板形状を有することが好ましい。天板部３１ｂは装着部３１ａの先端部に位置する。天板部３１ｂを設けているため、雨水又は埃のような異物がアダプター５の内部に侵入することを抑制できる。
【００２５】
凹部３３は、装着部３１ａの外面３５に形成される。装着部３１ａの外面３５は、具体的には、装着部３１ａの外周面である。凹部３３に、照明器具３の一部１９が嵌まることが可能である。従って、凹部３３に、照明器具３の一部１９が嵌まる。
【００２６】
本実施形態によれば、照明器具３の一部１９が凹部３３に嵌まるため、凹部３３によって、照明器具３の一部１９の移動及び回動が規制される。従って、アダプター５に対して照明器具３を容易に位置決めできる。つまり、アダプター５はポール１００に装着されるため、ポール１００に対して照明器具３を容易に位置決めできる。
【００２７】
次に、図２（ａ）〜図３（ｂ）を参照して、アダプター５について詳細に説明する。また、照明器具３については図１を適宜参照する。図２（ａ）は、アダプター５を示す斜視図である。図２（ｂ）は、アダプター５を示す正面図である。図３（ａ）は、図２（ｂ）のＩＩＩＡ−ＩＩＩＡ線に沿ったアダプター５を示す縦断面図である。図３（ｂ）は、図２（ｂ）のＩＩＩＢ−ＩＩＩＢ線に沿ったアダプター５を示す横断面図である。
【００２８】
図２（ａ）及び図２（ｂ）に示すように、アダプター５は、開口４３と、複数の固定孔４５（本実施形態では２つの固定孔４５）とを有する。固定孔４５の各々及び開口４３は、凹部３３に形成される。２つの固定孔４５は、開口４３を挟むように位置している。
【００２９】
凹部３３は、アダプター５の長手方向ＬＤに略平行である。アダプター５の長手方向ＬＤは、装着部３１ａの軸線ＡＸに略平行である。凹部３３は開口４３を囲んでいる。凹部３３は、外面３５に対して窪んでいる。凹部３３は特定面４１を有することが好ましい。特定面４１は、正面視において、略矩形環形状を有する。正面視は、図２（ｂ）に示すように、凹部３３を真正面から見ることを示す。また、開口４３は、正面視において、略矩形形状を有する。
【００３０】
特定面４１に、照明器具３の一部１９が接触することが可能である。図１では、凹部３３に照明器具３の一部１９が嵌まって、特定面４１に照明器具３の一部１９が接触している。特定面４１は、アダプター５の外部に向かって湾曲していることが好ましい。特定面４１は、装着部３１ａの径方向ＲＤ外側に向かって凸状に湾曲していることが更に好ましい。
【００３１】
図３（ａ）及び図３（ｂ）に示すように、凹部３３は深さｔ１を有する。深さｔ１は、装着部３１ａの外面３５に対する特定面４１の深さを示す。凹部３３は、横断面視において、略アーチ形状（例えば、略円弧形状）を有することが好ましい。具体的には、凹部３３は、装着部３１ａの径方向ＲＤ外側に向かって凸状に湾曲していることが好ましい。横断面視は、図３（ｂ）に示すように、アダプター５の長手方向ＬＤに直交する平面によって凹部３３を切断したときの切断面を見ることを示す。
【００３２】
次に、図１、図４、及び図５を参照して、照明器具３について詳細に説明する。また、アダプター５の凹部３３、特定面４１、開口４３、及び固定孔４５については、図２（ａ）を適宜参照する。図４は、照明装置１を示す側面図である。図５は、照明器具３を示す斜視図である。
【００３３】
図１及び図４に示すように、照明器具３は、灯具本体７と、取付体９とを含む。
【００３４】
灯具本体７は光を出射する。具体的には、灯具本体７は、光源１１と、カバー部材１３と、ヒートシンク１５とを含む。光源１１は光を出射する。具体的には、光源１１は、例えば、単数又は複数の発光素子を含む。発光素子は、例えば、ＬＥＤ（Ｌｉｇｈｔ  Ｅｍｉｔｔｉｎｇ  Ｄｉｏｄｅ）である。
【００３５】
カバー部材１３は、略円板形状を有し、光源１１を覆う。カバー部材１３は、透明又は半透明であり、光源１１が出射した光を透過させる。また、カバー部材１３は、光源１１が出射した光を拡散して出射してもよい。さらに、カバー部材１３は、レンズ機能を有する形状を有していてもよい。レンズ機能とは、光を屈折させて、光を発散又は収束させる機能のことである。
【００３６】
ヒートシンク１５は、複数のフィンを有し、光源１１の発する熱を放散する。その結果、光源１１の異常な温度上昇を抑制できる。
【００３７】
取付体９は、照明器具３をアダプター５に取り付ける。具体的には、取付体９は、アーム部１７と、取付部１９と、複数の固定部材２７（本実施形態では２つの固定部材２７）とを含む。本実施形態では、照明器具３の一部１９は、取付部１９のことである。以下、照明器具３の一部１９を取付部１９と記載する。
【００３８】
アーム部１７の一方端部が灯具本体７に固定され、アーム部１７の他方端部が取付部１９に固定される。アーム部１７は、第１軸線ＡＸ１の回りに、回動方向Ｒ１に回動可能である。加えて、アーム部１７は、第２軸線ＡＸ２の回りに、回動方向Ｒ２に回動可能である。従って、灯具本体７は、回動方向Ｒ１及び回動方向Ｒ２に回動可能である。その結果、灯具本体７の光の出射方向を自在に変更できる。
【００３９】
取付部１９は、アダプター５の凹部３３に対応する形状を有している。具体的には、取付部１９は、略湾曲形状を有し、凹部３３の特定面４１に沿って湾曲している。従って、取付部１９は、アダプター５の開口４３を覆うように特定面４１に接触しつつ、凹部３３に嵌まる。そして、取付部１９は、固定部材２７によって、凹部３３に固定される。その結果、照明器具３がアダプター５に取り付けられる。固定部材２７は、例えば、ネジである。従って、固定部材２７は、取付部１９を介してアダプター５の固定孔４５に捻じ込まれる。
【００４０】
具体的には、図５に示すように、取付部１９は取付部材５１を含む。取付部１９は、シール部材５２と、枠部５４とを含むことが好ましい。また、取付部１９は配線孔５３を有する。
【００４１】
取付部材５１は、略湾曲形状を有し、アダプター５の凹部３３の特定面４１に沿って湾曲している。具体的には、取付部材５１は、横断面視において、略アーチ形状（例えば、略円弧形状）を有する。横断面視は、アダプター５の長手方向ＬＤに直交する平面によって取付部材５１を切断したときの切断面を見ることを示す。取付部材５１は、アダプター５側から取付部材５１を見たときに、灯具本体７に向かって凸状に湾曲している。取付部材５１は、アダプター５の長手方向ＬＤに略平行である。取付部材５１は、例えば、フランジである。
【００４２】
取付部材５１は厚みｔ２を有する。取付部材５１の厚みｔ２は、凹部３３の深さｔ１（図３（ａ））と略同一であることが好ましい。なぜなら、取付部材５１を凹部３３に嵌めたときに取付部材５１の外面５１ａと装着部３１ａの外面３５とが略面一になって、照明器具３をアダプター５に取り付けたときの照明装置１の美観が向上するためである。ただし、取付部材５１の厚みｔ２は、凹部３３の深さｔ１より小さくてもよいし、凹部３３の深さｔ１より大きくてもよい。
【００４３】
枠部５４は、アダプター５の開口４３に対応する形状を有する。具体的には、枠部５４は略矩形環形状を有する。枠部５４は、取付部材５１の内面５１ｂから突出している。
【００４４】
シール部材５２は、取付部材５１の内面５１ｂに取り付けられる。シール部材５２は、例えば、弾性体である。図４及び図５に示すように、取付部１９がアダプター５の凹部３３に嵌まって、取付部１９が凹部３３に固定されると、シール部材５２は、凹部３３の特定面４１に密着する。その結果、アダプター５の開口４３から雨水又は埃のような異物がアダプター５の内部に侵入することを抑制できる。また、取付部１９が凹部３３に嵌まる際には、枠部５４がアダプター５の開口４３に嵌まる。従って、アダプター５に対して照明器具３を更に容易に位置決めできる。
【００４５】
配線孔５３は、取付部材５１に形成され、枠部５４に囲まれている。配線孔５３から、灯具本体７から延びる配線（例えば、電源線）が引き出される。更に、配線は、アダプター５の開口４３を通って、アダプター５の内部に引き込まれる。
【００４６】
以上、図１及び図２（ａ）を参照して説明したように、本実施形態によれば、アダプター５は、照明器具３の取付部１９（照明器具３の一部１９）が嵌まることの可能な凹部３３を含む。従って、取付部１９をアダプターに固定する作業の際に、取付部１９を凹部３３に嵌めることによって、取付部１９が、回動方向Ｒ１に回動することを規制できるとともに、アダプター５の長手方向ＬＤに移動することを規制できる。その結果、アダプター５に対して照明器具３を容易に位置決めできて、アダプター５への照明器具３の取付作業が容易になる。
【００４７】
特に、作業者が、取付部１９を凹部３３に固定した後に灯具本体７を回動方向Ｒ１に回動させる際にも、取付部１９が回動方向Ｒ１に回動することが規制される。従って、作業者は、灯具本体７を所望の姿勢に容易に設定できる。つまり、回動方向Ｒ１への回動による灯具本体７の姿勢の調整が容易である。また、作業者が、取付部１９を凹部３３に固定した後に灯具本体７を回動方向Ｒ１に回動させた場合に、取付部１９の回動が規制されるため、アダプター５に対する取付部１９の位置がずれることを抑制できる。その結果、アダプター５への照明器具３の取付状態の安定性を向上できる。
【００４８】
また、本実施形態によれば、アダプター５の凹部３３の特定面４１には、照明器具３の取付部１９（照明器具３の一部１９）が接触する。そして、特定面４１は、アダプター５の外部に向かって湾曲している。従って、特定面が平面の場合と比較して、取付部１９が回動方向Ｒ１に回動することを更に抑制できる。その結果、アダプター５に対して照明器具３を更に容易に位置決めできて、アダプター５への照明器具３の取付作業が更に容易になる。
【００４９】
さらに、本実施形態によれば、アダプター５の装着部３１ａは略円筒形状を有している。従って、ポール１００のジョイント部１０２が略円柱形状又は略円筒形状を有していると、装着部３１ａがジョイント部１０２の形状に沿って嵌まる。その結果、アダプター５をポール１００に安定して装着できる。また、ポール１００の本体部１０４が略円柱形状又は略円筒形状を有していると、アダプター５の外観形状とポール１００の外観形状とを共通にすることができる。その結果、アダプター５をポール１００に装着したときの美観を向上できる。さらに、凹部３３の特定面４１は、装着部３１ａの径方向ＲＤ外側に向かって凸状に湾曲している。従って、特定面が平面の場合と比較して、取付部１９が回動方向Ｒ１に回動することを更に抑制できる。その結果、アダプター５に対して照明器具３を更に容易に位置決めできる。
【００５０】
さらに、本実施形態によれば、照明器具３の取付部１９がアダプター５の凹部３３に嵌まるため、アダプターの外面に照明器具の取付部を固定する場合と比較して、アダプター５の外面３５に対する取付部１９の突出量を抑制できる。その結果、アダプター５をポール１００に装着したときの照明装置１の美観を向上できる。
【００５１】
なお、図１に示すように、照明器具３をアダプター５を介してポール１００に設置する際に、照明器具３をアダプター５に取り付けた後に、アダプター５をポール１００に装着してもよいし、アダプター５をポール１００に装着した後に、照明器具３をアダプター５に取り付けてもよい。
【００５２】
（変形例）
図６を参照して、本発明の実施形態の変形例に係る照明装置１Ａのアダプター５Ａについて説明する。変形例に係るアダプター５Ａは、複数の凹部３３を有する点で、単数の凹部３３を有する本実施形態に係るアダプター５と異なる。以下、変形例に係るアダプター５Ａが本実施形態に係るアダプター５と異なる点を主に説明する。
【００５３】
図６は、変形例に係る照明装置１Ａを示す斜視図である。図６に示すように、照明装置１Ａは、アダプター５Ａと、複数の照明器具３（変形例では２つの照明器具３）と、塞ぎ部６０と、複数の固定部材６７とを備える。アダプター５Ａは、例えば、金属製である。
【００５４】
アダプター５Ａは、装着部３１ａと、天板部３１ｂと、複数の凹部３３（変形例では３つの凹部３３）とを含む。また、アダプター５Ａは、複数の凹部３３に対応する複数の開口４３（変形例では３つの開口４３）と、複数の固定孔４５とを有する。変形例では、１つの凹部３３に対して、２つの固定孔４５が形成される。複数の凹部３３は、アダプター５Ａの長手方向ＬＤに沿って一直線上に配置される。
【００５５】
３つの凹部３３のうちの最上段の凹部３３に、２つの照明器具３のうちの上段の照明器具３の取付部１９が嵌まる。そして、上段の照明器具３の取付部１９が最上段の凹部３３に固定される。その結果、上段の照明器具３がアダプター５Ａに取り付けられる。
【００５６】
３つの凹部３３のうちの中段の凹部３３に、２つの照明器具３のうちの下段の照明器具３の取付部１９が嵌まる。そして、下段の照明器具３の取付部１９が中段の凹部３３に固定される。その結果、下段の照明器具３がアダプター５Ａに取り付けられる。
【００５７】
３つの凹部３３のうちの最下段の凹部３３に、塞ぎ部６０が嵌まる。そして、塞ぎ部６０が最下段の凹部３３に固定される。
【００５８】
すなわち、塞ぎ部６０は、凹部３３に嵌まることが可能である。更に、塞ぎ部６０は、凹部３３に形成されている開口４３を塞ぐことが可能である。従って、塞ぎ部６０は、凹部３３に嵌まって特定面４１に接触しつつ、開口４３を塞ぐ。そして、塞ぎ部６０は、固定部材６７によって、凹部３３に固定される。その結果、塞ぎ部６０がアダプター５Ａに取り付けられる。固定部材６７は、例えば、ネジである。従って、固定部材６７は、塞ぎ部６０を介してアダプター５Ａの固定孔４５に捻じ込まれる。
【００５９】
具体的には、塞ぎ部６０は、塞ぎ部材６１と、シール部材６３と、枠部６５とを含む。塞ぎ部材６１は、略湾曲形状を有し、凹部３３の特定面４１に沿って湾曲している。また、塞ぎ部材６１は、アダプター５Ａの長手方向ＬＤに略平行である。塞ぎ部材６１は、例えば、フランジである。なお、塞ぎ部材６１は、取付部材５１と同様の構成を有する。つまり、塞ぎ部材６１が、配線孔５３を有しない点で、取付部材５１と異なるが、塞ぎ部材６１のその他の構成は、取付部材５１の構成と同様である。
【００６０】
枠部６５は、アダプター５Ａの開口４３に対応する形状を有する。具体的には、枠部６５は、略矩形環形状を有する。枠部６５は、塞ぎ部材６１の外面７０ａと内面７０ｂとのうち、内面７０ｂから突出している。なお、枠部６５は、枠部５４と同様の構成を有する。
【００６１】
シール部材６３は、塞ぎ部材６１の内面７０ｂに取り付けられる。シール部材６３は、例えば、弾性体である。塞ぎ部６０がアダプター５Ａの凹部３３に嵌まって、塞ぎ部６０が凹部３３に固定されると、シール部材６３は、凹部３３の特定面４１に密着する。その結果、アダプター５Ａの開口４３から雨水又は埃のような異物がアダプター５Ａの内部に侵入することを抑制できる。また、塞ぎ部６０が凹部３３に嵌まる際には、枠部６５が開口４３に嵌まる。なお、シール部材６３は、シール部材５２と同様の構成を有する。
【００６２】
以上、図６を参照して説明したように、変形例によれば、アダプター５Ａは複数の凹部３３を含む。従って、１つのアダプター５Ａに複数の照明器具３を取り付けることができる。その結果、１つのアダプター５Ａを介して、複数の照明器具３をポール１００に設置できる。
【００６３】
また、変形例によれば、凹部３３の個数を最大数として、複数の照明器具３をアダプター５Ａに取り付けることができる。従って、照明器具３の個数ごとに専用のアダプター５Ａを製造しなくてもよい。その結果、アダプター５Ａのコストを低減できる。
【００６４】
例えば、３つの凹部３３を有するアダプター５Ａを製造すれば、１つの照明器具３に専用のアダプターと、２つの照明器具に専用のアダプターと、３つの照明器具に専用のアダプターとをそれぞれ製造しなくてもよい。つまり、アダプター５Ａには、１つの照明器具３を取り付けることもできるし、２つの照明器具３を取り付けることもできるし、３つの照明器具３を取り付けることもできる。
【００６５】
また、変形例によれば、全ての凹部３３を使用しない場合には、塞ぎ部６０は、不使用の凹部３３に嵌まって開口４３を塞ぐことができる。従って、不使用の凹部３３に形成された開口４３から、雨水又は埃のような異物が侵入することを抑制できる。また、不使用の凹部３３及び開口４３の露出を抑制できるため、照明装置１Ａの美観を向上できる。
【００６６】
なお、塞ぎ部材６１の厚みは、凹部３３の深さｔ１（図３（ａ））と略同一であることが好ましい。なぜなら、塞ぎ部材６１の外面７０ａと装着部３１ａの外面３５とが略面一になって、塞ぎ部６０をアダプター５Ａに取り付けたときの照明装置１Ａの美観が向上するためである。ただし、塞ぎ部材６１の厚みは、凹部３３の深さｔ１より小さくてもよいし、凹部３３の深さｔ１より大きくてもよい。
【００６７】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６８】
（１）図１を参照して説明した照明装置１では、照明器具３の一部１９は、取付部１９であった。ただし、照明器具３の一部１９は、取付部１９に限定されない。また、取付部１９が、特定面４１の一部に接触していてもよいし、特定面４１の全部に接触していてもよい。
【００６９】
（２）図２（ａ）及び図６を参照して説明した本実施形態及び変形例では、特定面４１は湾曲していた。ただし、特定面４１の形状は、特に限定されず、例えば、平面であってもよい。取付部材５１及び塞ぎ部材６１の形状も、特に限定されない。ただし、取付部材５１及び塞ぎ部材６１の形状は、特定面４１に対応した形状を有することが好ましい。また、装着部３１ａは略円筒形状を有していた。ただし、装着部３１ａの形状は、特に限定されず、例えば、略角筒形状を有していてもよい。同様に、ポール１００は、装着部３１ａの形状に対応して、略角柱形状又は略角筒形状を有していてもよい。
【００７０】
（３）図６を参照して説明した変形例では、３つの凹部３３が設けられた。ただし、凹部３３の数は特に限定されない。また、複数の凹部３３がアダプター５Ａの長手方向ＬＤに沿って一直線上に配置された。ただし、複数の凹部３３の配置は、特に限定されず、複数の凹部３３を装着部３１ａの任意の位置に配置できる。例えば、複数の凹部３３を装着部３１ａの周方向ＣＤに沿って配置することもできる。例えば、２つの凹部３３が対向するように、２つの凹部３３を装着部３１ａの周方向ＣＤに沿って配置することもできる。例えば、ある凹部３３に対して、他の凹部３３が長手方向ＬＤと周方向ＣＤとにずれるように、他の凹部３３を装着部３１ａに配置することもできる。
【産業上の利用可能性】
【００７１】
本発明は、アダプター及び照明装置を提供するものであり、産業上の利用可能性を有する。
【符号の説明】
【００７２】
１、１Ａ    照明装置
３    照明器具
５、５Ａ    アダプター
１１    光源
１９    取付部（照明器具の一部）
３１ａ    装着部
３３    凹部
４１    特定面
４３    開口
６０    塞ぎ部
１００    ポール
【図１】
2018181719.tif 000003
【図２】
2018181719.tif 000004
【図３】
2018181719.tif 000005
【図４】
2018181719.tif 000006
【図５】
2018181719.tif 000007
【図６】
2018181719.tif 000008